(57)【特許請求の範囲】
【請求項１】
ドア用外枠と、このドア用外枠と連続する付設物用枠とを有し、これらのドア用外枠と付設物用枠とが一部が共通化されて形成されるドア用外枠構造体において、
前記ドア用外枠は、上枠部材と、下枠部材と、これらの上枠部材及び下枠部材の左右の端部同士の間に架設された左右の側枠部材とにより、正面四角形に形成され、前記付設物用枠は、上枠部材と、下枠部材と、これらの上枠部材及び下枠部材の前記ドア用外枠とは反対側の端部同士の間に架設された側枠部材とにより、正面コ字形状に形成されていて、この付設物用枠の前記ドア用外枠の側の側部は欠落部となっており、
前記付設物用枠は、前記欠落部の位置が前記ドア用外枠の前記左右の側枠部材のうち、前記付設物用枠の側の側枠部材の位置と重なるようにして、前記ドア用外枠と連続して配置され、
前記ドア用外枠と前記付設物用枠とが分離可能になっていることを特徴とするドア用外枠構造体。
【請求項２】
請求項１に記載のドア用外枠構造体において、前記付設物用枠の前記上枠部材と前記下枠部材との間に補強部材が架設されていることを特徴とするドア用外枠構造体。
【請求項３】
請求項２に記載のドア用外枠構造体において、前記補強部材は、前記付設物用枠に配置される付設物によって隠されることを特徴とするドア用外枠構造体。
【請求項４】
請求項３に記載のドア用外枠構造体において、前記補強部材には、前記付設物の背面に設けられている係止部材が係止される被係止部材が設けられていることを特徴とするドア用外枠構造体。
【請求項５】
請求項１〜４のいずれかに記載のドア用外枠構造体において、前記ドア用外枠の内側には、壁を貫通して形成されて、ドアで開閉される出入口が設けられるとともに、前記付設物用枠は前記壁の表面に取り付けられることを特徴とするドア用外枠構造体。
【請求項６】
請求項１〜５のいずれかに記載のドア用外枠構造体において、前記付設物用枠は前記ドア用外枠に対して連結されないで連続配置されることを特徴とするドア用外枠構造体。
【請求項７】
請求項１〜５のいずれかに記載のドア用外枠構造体において、前記付設物用枠は前記ドア用外枠に対して連結されて連続配置されることを特徴とするドア用外枠構造体。
【請求項８】
請求項１〜７のいずれかに記載のドア用外枠構造体において、前記付設物用枠は、前記ドア用外枠の横脇に配置される袖パネル用外枠であることを特徴とするドア用外枠構造体。
【請求項９】
ドア用外枠と付設物用枠とを一部を共通化させた形状にして連続配置するドア用外枠構造体の施工方法であって、
前記ドア用外枠は、上枠部材と、下枠部材と、これらの上枠部材及び下枠部材の左右の端部同士の間に架設された左右の側枠部材とにより、正面四角形に形成され、前記付設物用枠は、上枠部材と、下枠部材と、これらの上枠部材及び下枠部材の前記ドア用外枠とは反対側の端部同士の間に架設された側枠部材とにより、正面コ字形状に形成されていて、この付設物用枠の前記ドア用外枠の側の側部は欠落部となっており、
前記ドア用外枠と前記付設物用枠とを分離して施工現場に搬送し、この施工現場において、前記付設物用枠を、前記欠落部の位置が前記ドア用外枠の前記左右の側枠部材のうち、前記付設物用枠の側の側枠部材の位置と重なるようにして、前記ドア用外枠と連続して配置することを特徴とするドア用外枠構造体の施工方法。
【請求項１０】
既に配置されかつ使用されているドア用外枠と連続して配置される付設物用枠を用意し、この付設物用枠を、改修現場において、前記ドア用外枠と一部が共通化された形状にして前記ドア用外枠に連続させて配置するドア用外枠構造体への改修方法であって、
前記ドア用外枠は、上枠部材と、下枠部材と、これらの上枠部材及び下枠部材の左右の端部同士の間に架設された左右の側枠部材とにより、正面四角形に形成され、前記付設物用枠は、上枠部材と、下枠部材と、これらの上枠部材及び下枠部材の前記ドア用外枠とは反対側の端部同士の間に架設された側枠部材とにより、正面コ字形状に形成されていて、この付設物用枠の前記ドア用外枠の側の側部は欠落部となっており、
前記改修現場において、前記付設物用枠を、前記欠落部の位置が前記ドア用外枠の前記左右の側枠部材のうち、前記付設物用枠の側の側枠部材の位置と重なるようにして、前記ドア用外枠と連続して配置することを特徴とするドア用外枠構造体への改修方法。
【発明の詳細な説明】
【０００１】
【発明の属する技術分野】
本発明は、ドア用外枠とこのドア用外枠と連続する付設物用枠とを有するドア用外枠構造体及びその施工方法並びにドア用外枠構造体への改修方法に係り、例えば、玄関ドア等のための開き戸用外枠と袖パネル用外枠とを有する構造体等に利用できるものである。
【０００２】
【背景技術】
集合住宅の玄関ドアの横脇には、この玄関ドアによる出入口面積を視覚的に拡大させて見せる等のために袖パネルが配置される場合があり、玄関ドアの付設物となっているこの袖パネルには、表札入れやインターホン等のドア関連品が設けられている。
【０００３】
このような場合には、玄関ドアと袖パネルは隣接して配置されるため、ドア用外枠と袖パネル用外枠は連続して配置され、これらのドア用外枠と袖パネル用外枠は、一部が共通化された構造となっている。
【０００４】
これを具体的に説明すると、従来のドア用外枠と袖パネル用外枠は、左右寸法が玄関ドアと袖パネルの合計寸法と対応する長寸法になっている上下枠部材を左右両側の側枠部材で接続するとともに、これらの側枠部材の中間に中間枠部材を立設することにより形成され、すなわち、ドア用外枠と袖パネル用外枠は、外観上、連続した形状を有するとともに、中間枠部材が両者の共通化された部材となった一体の大型枠構造体として形成され、中間枠部材の左右の開口部に玄関ドアと袖パネルを配置するようになっている。
【０００５】
【発明が解決しようとする課題】
このように従来のドア用外枠と袖パネル用外枠は一体の大型枠構造体となっているため、工場から施工現場への搬送作業時や施工現場での設置作業時等において、取り扱いが面倒となり、これらの作業に手間がかかり、それだけ作業が煩雑になるおそれがあった。
【０００６】
また、袖パネル用外枠に袖パネルを取り付けてからドア用外枠及び袖パネル用外枠の壁への取付施工作業を行う場合には、竣工までに袖パネルが損傷するおそれがあった。
【０００７】
また、ドア用外枠と袖パネル用外枠は初めから一体となったものになっているため、先付けで設置されているドア用外枠に袖パネル用外枠を後付けで配置することはできず、言い換えると、袖パネル用外枠及び袖パネルを増設するリフォームのための改修作業を玄関ドア回りについて行うことはできない。
【０００８】
本発明の目的は、ドア用外枠と付設物用枠を容易に取り扱うことができるようになるドア用外枠構造体及びその施工方法と、先付けされているドア用外枠に付設物用枠を後付けで配置できるようになるドア用外枠構造体への改修方法とを提供するところにある。
【０００９】
【課題を解決するための手段】
本発明に係るドア用外枠構造体は、ドア用外枠と、このドア用外枠と連続する付設物用枠とを有し、これらのドア用外枠と付設物用枠とが一部が共通化されて形成されるドア用外枠構造体において、前記ドア用外枠と前記付設物用枠とが分離可能になっていることを特徴とするものである。
【００１０】
このドア用外枠構造体によると、ドア用外枠と付設物用枠とが分離可能になっているため、工場での生産時や工場から施工現場への搬送時、さらには施工現場での設置時等において、それぞれの作業をドア用外枠と付設物用枠とを分離させて行え、このため、これらの作業時における取り扱いが容易となる。
【００１１】
また、本発明に係るドア用外枠構造体の施工方法は、ドア用外枠と、このドア用外枠と連続する付設物用枠とを分離して施工現場に搬送し、この施工現場において、これらのドア用外枠と付設物用枠とを一部を共通化させた形状にして連続配置することを特徴とするものである。
【００１２】
このドア用外枠構造体の施工方法によると、ドア用外枠と、このドア用外枠と連続する付設物用枠は、分離して施工現場に搬送され、この施工現場において、これらのドア用外枠と付設物用枠は一部を共通化させた形状にして連続配置されるため、施工現場で連続配置されるまではドア用外枠と付設物用枠は分離されており、このため、連続配置されるまでに行う各種作業を取り扱い性を容易にして行える。
【００１３】
さらに、本発明に係るドア用外枠構造体への改修方法は、既に配置されかつ使用されているドア用外枠と連続して配置される付設物用枠を用意し、この付設物用枠を、改修現場において、前記ドア用外枠と一部が共通化された形状にして前記ドア用外枠に連続させて配置することを特徴とするものである。
【００１４】
このドア用外枠構造体への改修方法によると、既に配置されかつ使用されているドア用外枠に対して、新たに付設物用枠を用意するため、先付けされているドア用外枠に後付け作業で付設物用枠を増設することを行え、これにより、ドア用外枠と、このドア用外枠に連続して配置された付設物用枠とを有するドア用外枠構造体へドア用外枠を改修することができる。そして、居住設備の質的向上を図るためのリフォームの要求に有効に応えることができる。
【００１５】
以上のそれぞれの本発明において、付設物用枠への付設物の配置作業は、ドア用外枠及び付設物用枠が取付施工される壁等の取付施工箇所に付設物用枠を取り付けた後に行ってもよく、取り付ける前に行ってもよい。
【００１６】
また、付設物用枠は、付設物の外側に配置されるもの、言い換えると、付設物が内側に配置される付設物用外枠となっていてもよく、付設物の背面に配置される付設物背面枠となっていてもよく、一部が付設物の外側に露出して他の部分が付設物で覆われる一部露出タイプの付設物用枠でもよい。
【００１７】
また、以上のそれぞれの本発明において、付設物用枠はドア用外枠に対して連結しないで連続配置してもよく、連結して連続配置してもよい。
【００１８】
付設物用枠をドア用外枠に対して連結しないで連続配置した場合には、付設物用枠とドア用外枠の両者に連結のための特別の部材、部分等を設ける必要がないという効果を得られる。
【００１９】
また、付設物用枠をドア用外枠に対して連結して連続配置した場合には、付設物用枠とドア用外枠の両者を所定の位置関係にしてより確実に連続配置できるという効果を得られる。
【００２０】
このように付設物用枠をドア用外枠に対して連結して連続配置する場合における両者の連結構造は、付設物用枠とドア用外枠とを突部や欠部、突起や孔等によって凹凸係合させる構造や嵌合させる構造でもよく、ボルト・ナットやビス、リベット等の止着具で結合する構造でもよく、さらには、接着剤、両面粘着テープ等で結合する構造でもよく、その連結手段は任意である。
【００２１】
また、連結手段として接着剤、両面粘着テープ等を用いる場合には、これらの連結手段は、ドア用外枠に対して付設物用枠を所定位置に位置決めしてから付設物用枠をその位置に固定するまでの仮連結手段でもよい。
【００２２】
また、以上のそれぞれの発明において、ドア用外枠と付設物用枠とを一部を共通化させて連続配置するためには、ドア用外枠と付設物用枠のそれぞれを四角形等の閉じた輪郭を有するものとし、例えば、互いの側枠部材同士を並設状態で接触させてこれらのドア用外枠と付設物用枠を連続して配置することにより、並設状態となった側枠部材同士をドア用外枠と付設物用枠の共通化された部材としてもよく、また、ドア用外枠と付設物用枠のうちの一方を四角形等の閉じた輪郭を有するものとするとともに、他方を一部が欠落部となった輪郭を有するものとし、この欠落部を、ドア用外枠と付設物用枠とが連続配置されたときに前記一方の前記共通化される一部によって埋められるようにし、この埋める部材、部分等によってドア用外枠と付設物用枠の共通化される部分が形成されるようにしてもよい。
【００２３】
また、後者において、輪郭の一部に前記欠落部がある外枠が付設物用枠である場合には、この欠落部には補強部材を設けなくてもよいが、この欠落部に補強部材を設けることが好ましい。
【００２４】
これによると、付設物用枠の輪郭に欠落部があっても、付設物用枠をドア用外枠に連続配置するまでに行う作業における付設物用枠の強度を補強部材で確保でき、それぞれの作業を付設物用枠の強度を気にせず行える。
【００２５】
また、付設物用枠の欠落部に設ける補強部材が、この付設物用枠に配置される付設物で隠されるようにすることが好ましい。
【００２６】
これによると、付設物用枠への付設物の配置作業後には、補強部材は付設物によって外部に露出しなくなり、付設物によって補強部材を有効に覆うことができる。
【００２７】
また、以上のそれぞれの本発明において、ドア用外枠と連続する付設物用枠は、ドアとの関係で設けられる任意な種類の付設物のための外枠でよく、その一例は、ドア用外枠の横脇に配置される袖パネル用外枠であり、他の例は、ドア用外枠の上に配置される欄間パネル用外枠等である。また、本発明において、付設物用枠は、これらの袖パネル用外枠や欄間パネル用外枠等の複数の枠が合体したものでもよい。
【００２８】
付設物用枠が袖パネル用外枠である場合には、一般的に、ドア用外枠と付設物用枠のそれぞれの一部を形成する上枠部材同士が、又は下枠部材同士が、又は上枠部材同士及び下枠部材同士が、同じ高さ位置又は略同じ高さ位置で配置される。
【００２９】
また、ドア用枠は、玄関ドア用枠のように、居室区域と非居室区域との間の境界部に配置されるものでもよく、室内ドア用枠のように、居室区域と居室区域との境界部に配置されるものでもよい。
【００３０】
また、付設物用枠に配置される付設物が袖パネルである場合には、この袖パネルにドア関連品を設けてもよく、設けなくてもよい。ドア関連品を設ける場合には、そのドア関連品の具体例は、ドアが玄関ドアであるとき、表札や、その表札入れ、インターホン、新聞等の配達物入れ、傘立て、傘掛け、照明器具等であり、ドアが室内ドアであるとき、物を載せるための載せ台、部屋番号や入室者の名前等を表示した表示板や、その表示板入れ、ナースコール等であり、そのドアの設置場所や用途等に応じた任意な種類のドア関連品を設けることができる。
【００３１】
さらに、ドア用外枠の内側に配置されるドアは、開き戸でもよく、引戸でもよく、折れ戸でもよく、バランスドアでもよく、ドアの種類は任意である。
【００３２】
また、付設物用枠をドア用外枠が設置された壁等の表面に配置する場合には、外観を良好とするために、壁等の表面から突出したドア用外枠の外面と付設物用枠の外面又はドア用外枠の外面と付設物の外面とを面一状態又は略面一状態とすることが好ましいが、これらの外面同士に段差があってもよい。
【００３３】
また、ドア用外枠と付設物用枠の取付施工箇所が、例えば、Ｌ字形等に屈曲している箇所である場合には、連続して配置されるこれらのドア用外枠と付設物用枠を連続させてＬ字形等に屈曲配置してもよく、付設物用枠自体をＬ字形等に屈曲形成してドア用外枠と付設物用枠を連続配置してもよい。
【００３４】
【発明の実施の形態】
以下に本発明の実施形態を図面に基づいて説明する。本実施形態に係るドア用外枠は、集合住宅における居住区域と非居住区域である外廊下とを仕切る壁に設置される玄関ドア用外枠であり、付設物用枠は、この玄関ドア用外枠の左右のいずれかの横脇に玄関ドア用外枠と連続して配置される袖パネル用外枠である。
【００３５】
図１には、玄関ドア用外枠１と袖パネル用外枠２とが集合住宅の壁３に連続配置された正面図が示されている。玄関ドア用外枠１の内側には、開き戸式の玄関ドア４が開閉自在に配置され、袖パネル用外枠２の内側には、玄関ドア４の付設物であって、玄関ドア４と関連した複数の玄関用部品が取り付けられた袖パネル５が配置されている。これらの玄関用部品は、上から順番に、その部屋の番号や居住者の名前を記載した表札６及びこの表札６を入れる表札入れ７と、インターホン８と、新聞等の配達物入れ９である。
【００３６】
図２には表札６及び表札入れ７が示され、表札入れ７は、袖パネル５の表面に結合された左右一対の棒部材１０からなり、袖パネル５との間に溝１０Ａが形成されて平面Ｌ字状となっているこれらの棒部材１０の溝１０Ａに表札６の左右端部が挿入され、棒部材１０の下面から一定高さまで形成されている溝１０Ａの終端部まで表札６は挿入される。
【００３７】
図３には配達物入れ９が示され、この配達物入れ９は、それぞれが間隔を開けて袖パネル５に結合された上下３個の平面コ字状の屈曲棒部材１１と、最下段の屈曲棒部材１１の内側に固定された底板１２とで形成されている。
【００３８】
図１で示すように、玄関ドア用外枠１は、上枠部材１３と、下枠部材１４と、上枠部材１３及び下枠部材１４の左右の端部同士の間に架設された左右の側枠部材１５，１６とにより、正面四角形に形成され、袖パネル用外枠２は、上枠部材１７と、下枠部材１８と、上枠部材１７及び下枠部材１８の玄関ドア用外枠１とは反対側の端部同士の間に架設された側枠部材１９とにより、正面コ字形状に形成されている。左右に隣接して配置されているこれらの玄関ドア用外枠１と袖パネル用外枠２は連続して配置されているため、具体的には、袖パネル用外枠２における上下枠部材１７，１８の玄関ドア用外枠１側の端部が玄関ドア用外枠１に接触して配置されているため、玄関ドア用外枠１と袖パネル用外枠２は、玄関ドア用外枠１における袖パネル用外枠２側の側枠部材１５が玄関ドア用外枠１と袖パネル用外枠２の共通化された枠部材となって壁３に配置されている。
【００３９】
また、玄関ドア用外枠１の上枠部材１３と袖パネル用外枠２の上枠部材１７は同じ高さ位置となっており、玄関ドア用外枠１の下枠部材１４と袖パネル用外枠２の下枠部材１８との高さ位置関係は、下枠部材１４よりも下枠部材１８が少し高さ位置となっている。
【００４０】
図４は図１のＳ４−Ｓ４線断面図であり、図５は図１のＳ５−Ｓ５線断面図である。図４に示されているとおり、玄関ドア用外枠１にヒンジ２０で取り付けられている玄関ドア４は、袖パネル５が配置されている外廊下側とは反対側の居室区域側に開く内開き式であり、この玄関ドア用外枠１の図５で示された上下枠部材１３，１４及び図４で示された側枠部材１５，１６には、玄関ドア用外枠１の内側に壁３を貫通して形成されている出入口２１を玄関ドア４が閉じたときに、玄関ドア４が当接する戸当たり部材２２が設けられている。
【００４１】
また、図４及び図５に示されているように、壁３は、芯部材２３の両側にそれぞれ二枚の壁ボード２４を重ねることにより形成され、玄関ドア用外枠１の上枠部材１３と側枠部材１５，１６は、これらの枠部材１３，１５，１６に結合されているベース部材２５をアンカー部部材２６を介して芯部材２３に連結することにより、壁３に取付施工されている。また、図５に示されているように、玄関ドア用外枠１の下枠部材１４は、下枠部材１４のベース部材２５をコンクリート製の床２７の内部に組み込まれている図示しない配筋材にアンカー部材２８を介して連結することにより、床２７に配置施工されている。
【００４２】
なお、これらの枠部材１３〜１６によって形成されている正面四角形の玄関ドア用外枠１は、壁３の玄関ドア用外枠１に近い壁ボード２４を芯部材２３に結合する前であって床２７の表面仕上げがなされる前に、床２７上における壁３に設置施工され、この後、壁ボード２４の芯部材２３への結合作業、床２７の表面仕上げ作業がなされる。
【００４３】
図６は、図１における袖パネル用外枠２及び袖パネル５の部分の拡大図であり、図７は、図６のＳ７−Ｓ７線断面図である。図７に示すように、袖パネル５は、板状の補強部材３０と、この補強部材３０の外側に被せられた板状の化粧部材３１とからなる積層構造体であり、補強部材３０の背面には、板金を略Ｚ字形状に折り曲げ加工することにより形成した複数個の係止部材３２が下向きに固定されている。また、袖パネル用外枠２には、同じく板金を略Ｚ字形状に折り曲げ加工することにより形成した複数個の被係止部材３３が上向きに取り付けられており、被係止部材３３への係止部材３２の上からの係止により、袖パネル５が、袖パネル用外枠２の内側において、袖パネル用外枠２に取り付けられるようになっている。
【００４４】
図８は、玄関ドア用外枠１と分離した構造で製造される袖パネル用外枠２を、前記集合住宅の施工現場における壁３の前記外廊下側の表面に取付施工するときを示しており、実線は取付施工前の外枠２を、２点鎖線は取付施工後の外枠２を示す。前述したように、玄関ドア用外枠２は、上枠部材１３と下枠部材１４と左右の側枠部材１５，１６とで正面四角形となっており、このため、この玄関ドア用外枠２は閉じた輪郭を有している。一方、袖パネル用外枠２は、上枠部材１７と下枠部材１８と側枠部材１９とで正面コ字形状となっており、側枠部材１９は玄関ドア用外枠１とは反対側に設けられているため、袖パネル用外枠２は、玄関ドア用外枠１側の側部が欠落部３４となった輪郭を有する。
【００４５】
この欠落部３４に、上枠部材１７と下枠部材１８間に架設された上下に細長状の補強部材３５が設けられ、この補強部材３５により、壁３に取り付けられるまでの袖パネル用外枠２の全体強度が確保されている。
【００４６】
また、補強部材３５には、図７で示された上下２個の被係止部材３３が結合されており、さらに、被係止部材３３は、図８に示されているとおり、袖パネル用外枠２における玄関ドア用外枠１とは反対側の上下隅部に設けられているブラケット３６にも結合されている。また、袖パネル５の背面に設けられている前述の係止部材３２は、図６で示されているとおり、それぞれの被係止部材３３と対応する箇所に配置されている。
【００４７】
袖パネル５を袖パネル用外枠２の内側に配置する前に、袖パネル用外枠２は、図６及び図７で示された止着具３７で壁３に取付施工される。図面では、止着具３７は、被係止部材３３が補強部材３５、ブラケット３６に結合された箇所において補強部材３５、ブラケット３６に挿通されているが、この挿通箇所は補強部材３５、ブラケット３６の別の箇所でもよい。止着具３７で袖パネル用外枠２を壁３に取付施工した後、被係止部材３３への係止部材３２の係止により、袖パネル５を袖パネル用外枠２の内側に配置して袖パネル用外枠２に取り付ける作業が行われるようになっている。被係止部材３３へ係止部材３２を係止させる作業は、図９の矢印で示すように、係止部材３２の高さ位置を被係止部材３３よりも高くして袖パネル５を袖パネル用外枠２の内側に入れ、次いで袖パネル５をそのまま降ろすことによって行われる。
【００４８】
この作業を行うと、袖パネル用外枠２の上枠部材１７と袖パネル５の上端との間に隙間ができるため、図７に示されているように、この隙間に左右方向に長いスペーサ３８を挿入し、スペーサ３９を上枠部材１７に下向きに設けられている突片１７Ａに止着具３９で固定する作業が行われるようになっている。
【００４９】
以上説明した本実施形態では、玄関ドア用外枠１と袖パネル用外枠２は工場で全く別の外枠として、言い換えると、互いに分離した外枠として製造され、この分離した状態で工場から集合住宅の施工現場に搬送され、また、施工現場では玄関ドア用外枠１が先に壁３に取付施工され、次いで、袖パネル用外枠２が壁３に取付施工される。この袖パネル用外枠２の取付施工は、袖パネル用外枠２の前記欠落部３４の位置が玄関ドア用外枠１の一方の側枠部材１５の位置と重なるように行い、言い換えると、欠落部３４が側枠部材１５で埋められるように行い、これにより、外観上、この側枠部材１５が玄関ドア用外枠１と袖パネル用外枠２とで共通化された部材となるようにし、袖パネル用外枠２を玄関ドア用外枠１に連続させた形状にして壁３に配置する。
【００５０】
この後、袖パネル用外枠２の内側に袖パネル５とスペーサ３８を組み込む作業を行い、袖パネル５を被係止部材３３への係止部材３２の係止により、スペーサ３８を止着具３９により、それぞれ袖パネル用外枠２に取り付ける。
【００５１】
これにより、玄関ドア用外枠１と袖パネル用外枠２は、互いに連結されずに壁３に取り付けられるととも、袖パネル用外枠２の内側には、袖パネル５とスペーサ８が配置されることになる。
【００５２】
そして、図６のＳ１０−Ｓ１０線断面図である図１０に示すように、互いに接続状態になっている玄関ドア用外枠１の側枠部材１５と袖パネル用外枠２の上下枠部材１７，１８との表面側の隙間にパテ等の隙間充填材４０を充填し、この隙間充填材４０の表面を含めた玄関ドア用外枠１及び袖パネル用外枠２の表面に塗料４１を塗布し、これらの外枠１と２の表面を仕上げる。
【００５３】
なお、袖パネル用外枠２の内側に袖パネル５とスペーサ３８を組み込む作業は、玄関ドア用外枠１及び袖パネル用外枠２の表面に塗料４１を塗布する作業の後に行ってもよい。また、玄関ドア用外枠１に前記ヒンジ２０で玄関ドア４を取り付ける作業は、壁３への玄関ドア用外枠１の取付施工前に行ってもよく、取付施工後に行ってもよい。
【００５４】
以上説明した本実施形態によると、玄関ドア用外枠１の側枠部材１５が互いの共通部材となって壁３に連続して配置される玄関ドア用外枠１と袖パネル用外枠２は、分離可能になっているため、これらの外枠１と２を工場で生産するときや工場から施工現場に搬送するとき、施工現場の壁３に取付施工するときなどにおいて、これらの外枠１と２についての各種作業を左右寸法が小さい分離した状態で行える。このため、これらの作業を玄関ドア用外枠１と袖パネル用外枠２の取り扱い性を良好して行え、作業を効率的に行える。
【００５５】
また、壁３への取付施工後は、玄関ドア用外枠１と袖パネル用外枠２は連続しているため、外観上、従来の玄関ドア用外枠と袖パネル用外枠の関係と同じにでき、さらに、前記隙間充填材４０の充填作業と塗料４１の塗布作業とにより、外観上、玄関ドア用外枠１と袖パネル用外枠２とが全く連続していると見える状態に仕上げることができる。
【００５６】
さらに、袖パネル用外枠２の内側への袖パネル５の配置作業は、玄関ドア用外枠１と袖パネル用外枠２とを壁３に取付施工した後に行うため、竣工まで袖パネル５が損傷してしまうおそれを少なくできる。
【００５７】
また、袖パネル用外枠２の輪郭が欠落部３４を有するものとなっていても、この欠落部３４には、上枠部材１７と下枠部材１８とに架設された補強部材３５が設けられているため、袖パネル用外枠２を工場から施工現場へ搬送するときなどにおいて、この外枠２の強度を確保することができ、壁３に取付施工するまで、袖パネル用外枠２についての各種作業を袖パネル用外枠２の強度を気にすることなく行える。
【００５８】
また、補強部材３５には、袖パネル５の係止部材３２を係止するための被係止部材３３が結合されているため、この補強部材３５を、袖パネル用外枠２に被係止部材３３を設けるための部材としても使用でき、それだけ袖パネル用外枠２の構造の簡単化を達成できる。
【００５９】
さらに、袖パネル用外枠２の内側に袖パネル５を配置すると、補強部材３５はこの袖パネル５によって隠されるため、玄関ドアの付設物として本来必要な袖パネル５を利用して、補強部材３５が外部に露出しない構造とすることができる。
【００６０】
以上の実施形態は、新築の集合住宅の壁３に玄関ドア用外枠１と袖パネル用外枠２を取付施工する場合であったが、袖パネル用外枠２は、既設の集合住宅の壁に既に配置されて使用されている玄関ドア用外枠１に連続させて配置すること、すなわち、既存の玄関ドア用外枠１に増設することにより玄関ドア回りを改修するためにも用いることができる。
【００６１】
この改修作業を行うときは、既に配置されかつ使用されている玄関ドア用外枠１と連続して壁に配置されることになる袖パネル用外枠２及び袖パネル５を工場で製造し、これらの袖パネル用外枠２と袖パネル５を改修現場に運び、玄関ドア用外枠１の側枠部材１５が玄関ドア用外枠１と袖パネル用外枠２との共通化された部材となるように、袖パネル用外枠２を玄関ドア用外枠１と連続させて壁に取り付け、そして、袖パネル用外枠２の内側に配置した袖パネル５を袖パネル用外枠２に取り付ける作業を被係止部材３３への係止部材３２の係止作業により行い、また、袖パネル用外枠２の内側にスペーサ３８を組み込む作業も行う。この後、前述した隙間充填材４０の充填作業及び塗料４１の塗布作業を行い、玄関ドア用外枠１と袖パネル用外枠２の表面を仕上げる。
【００６２】
この改修作業により、居住設備の質的向上を図るためのリフォームを玄関ドア回りについて行うことができる。
【００６３】
次ぎに、以上説明した実施形態とは構造が異なる各種の別実施形態を説明する。これらの実施形態は上述の改修作業にも適用できる。
【００６４】
図１１は、袖パネル５を配置する前における袖パネル用外枠２の部分の拡大図である。この実施形態において、袖パネル用外枠２の輪郭の欠落部３４に設けられた細長状の補強部材５５には、玄関ドア用外枠１側に突出した突部５５Ａが上下２個形成されている。図１２は図１１のＳ１２−Ｓ１２線断面図であり、この図１２に示されているように、玄関ドア用外枠１の側枠部材１５には、袖パネル用外枠２と対面する側面部１５Ａから折り曲げられて壁３の表面に接触する背面部１５Ｂがあり、補強部材５５の突部５５Ａは、これらの突部５５Ａと対応する側枠部材１５の箇所において側面部１５Ａと背面部１５Ｂとの接続部に形成されている欠部１５Ｃに挿入されている。
【００６５】
欠部１５Ｃに突部５５Ａを挿入することにより、玄関ドア用外枠１に対する袖パネル用外枠２の上下方向の位置決めがなされ、この後、前述した止着具３７で袖パネル用外枠２を壁３に取り付けることにより、玄関ドア用外枠１と袖パネル用外枠２とを正確な位置関係とすることができる。
【００６６】
図１３は、玄関ドア用外枠１に対して袖パネル用外枠２を連結させる別の実施形態を示す図であり、図１４は、図１３のＳ１４−Ｓ１４線断面図である。袖パネル用外枠２の上下枠部材１７，１８には、玄関ドア用外枠１の側枠部材１５の側面部１５Ａと対面する突片６０が結合され、これらの突片６０に挿入したビス等の螺締具６１を側面部１５Ａに螺入することにより、玄関ドア用外枠１に対して袖パネル用外枠２は所定の上下の位置関係で連結され、この後、袖パネル用外枠２を止着具３７で壁３に取り付ける作業が行われる。
【００６７】
これまでの実施形態は、袖パネル５に設けた係止部材３２を袖パネル用外枠２の被係止部材３３に係止することによって袖パネル５を袖パネル用外枠２に取り付けるものであったが、図１５の実施形態では、上枠部材７７と下部材１８と側枠部材１９とからなる袖パネル用外枠６２の内側に配置される袖パネル６５は、この袖パネル６５の外周縁部に挿通される止着具６６により、壁３に止着される。また、袖パネル用外枠６２は、図１６に示すように、この袖パネル用外枠６２の輪郭の欠落部３４に設けた補強部材３５と、袖パネル用外枠６２の玄関ドア用外枠１とは反対側の上下隅部に設けたブラケット３６とに止着具３７を挿入することにより、これらの止着具３７で壁３に取り付けられる。
【００６８】
この実施形態のように、袖パネル用外枠の内側に配置される袖パネルは、袖パネル用外枠に取り付けるのではなく、壁に取り付けてもよい。
【００６９】
図１７の実施形態でも、袖パネル８５は壁３に取り付けられている。この実施形態では、板状の補強部材８６と板状の化粧部材８７との積層で形成されている袖パネル８５のうち、補強部材８６の左右端部には化粧部材８７から突出した突片８６Ａが設けられている。これらの突片８６Ａに挿通される止着具８８により、袖パネル８５は壁３に取り付けられる。そして、袖パネル用外枠６２の側枠部材１９と袖パネル８５との間の凹部、及び玄関ドア用外枠１の側枠部材１５と袖パネル８５との間の凹部には、突片８６Ａと止着具８８を隠すため及び目地処理のためにシーリング材８９が充填される。
【００７０】
図１５〜図１７の実施形態のように袖パネルを壁に取り付ける場合において、玄関ドア用外枠と袖パネル用外枠は、図１〜図１０の実施形態のように連結しなくてもよく、図１１〜図１４の実施形態のように連結してもよい。
【００７１】
【発明の効果】
本発明によると、ドア用外枠と付設物用枠は、これらを取り扱う作業において分離させることができるため、これらを容易に取り扱うことができるようになる。また、先付けされて既に使用されているドア用外枠に付設物用枠を後付けで配置でき、リフォームのための改修作業を行えるようになる。
【図面の簡単な説明】
【図１】本発明の一実施形態に係る玄関ドア用外枠とこの玄関ドア用外枠に付設して設けられる袖パネル用外枠とが集合住宅の壁に連続配置された状態を示す正面図である。
【図２】図１で示されている袖パネルに設けられた玄関用部品の一つである表札及表札入れを示す斜視図である。
【図３】図１で示されている袖パネルに設けられた別の玄関用部品の一つである新聞等の配達物入れを示す斜視図である。
【図４】図１のＳ４−Ｓ４線断面図である。
【図５】図１のＳ５−Ｓ５線断面図である。
【図６】図１における袖パネル用外枠及び袖パネルの部分の拡大図である。
【図７】図６のＳ７−Ｓ７線断面図である。
【図８】玄関ドア用外枠と分離した構造で製造される袖パネル用外枠を壁の表面に取付施工するときを示す正面図である。
【図９】袖パネルを袖パネル用外枠に取り付けるときの作業状態を示す図７と同様の図である。
【図１０】図６のＳ１０−Ｓ１０線断面図である。
【図１１】玄関ドア用外枠に対して袖パネル用外枠を連結させる場合の実施形態を示す図であって、袖パネルを配置する前における袖パネル用外枠の部分の拡大図である。
【図１２】図１１のＳ１２−Ｓ１２線断面図である。
【図１３】玄関ドア用外枠に対して袖パネル用外枠２連結させる別の実施形態を示す図であって、図１１と同様の図である。
【図１４】図１３のＳ１４−Ｓ１４線断面図である。
【図１５】袖パネルの取付構造についての別実施形態を示す図１と同様の図である。
【図１６】図１５の実施形態における図１１と同様の図である。
【図１７】袖パネルの取付構造についてのさらに別実施形態を示す袖パネル用外枠の部分の平断面図である。
【符号の説明】
１  ドア用外枠である玄関ドア用外枠
２，６２  付設物用枠である袖パネル用外枠
３  壁
４  ドアである玄関ドア
５，６５，８５  付設物である袖パネル
３４  欠落部
３５，５５  補強部材
【図１】
0004566480.tif 000002
【図２】
0004566480.tif 000003
【図３】
0004566480.tif 000004
【図４】
0004566480.tif 000005
【図５】
0004566480.tif 000006
【図６】
0004566480.tif 000007
【図７】
0004566480.tif 000008
【図８】
0004566480.tif 000009
【図９】
0004566480.tif 000010
【図１０】
0004566480.tif 000011
【図１１】
0004566480.tif 000012
【図１２】
0004566480.tif 000013
【図１３】
0004566480.tif 000014
【図１４】
0004566480.tif 000015
【図１５】
0004566480.tif 000016
【図１６】
0004566480.tif 000017
【図１７】
0004566480.tif 000018